(57)【特許請求の範囲】
【請求項１】
成型絶縁体に中心導体を埋め込んだ絶縁スペーサを、前記成型絶縁体の外周部に金属材を介在させて金属容器のフランジ間に配置し、前記フランジ間を複数本の締結貫通ボルトにより連結固定するガス絶縁電気機器用絶縁スペーサにおいて、前記絶縁スペーサは前記成型絶縁体の外周側を前記フランジ寸法より短くすると共に、前記成型絶縁体の一方の側面に厚みを薄く環状に成型した薄肉部を設け、前記成型絶縁体の一方の側面の薄肉部にフランジ間の寸法を規定し、かつ前記金属容器間の電流通路を形成する断面Ｌ字状の環状金具を嵌め合わせ配置し、嵌め合わせ配置した前記環状金具と成型絶縁体の薄肉部間とを複数の結合ボルトにより一体に固定して構成したことを特徴とするガス絶縁電気機器用絶縁スペーサ。
【発明の詳細な説明】
【技術分野】
【０００１】
本発明はガス絶縁電気機器用絶縁スペーサに係り、特に金属容器間の接続部に配置するガス絶縁電気機器用絶縁スペーサに関する。
【背景技術】
【０００２】
一般に、ガス絶縁開閉装置（以下「ＧＩＳ」と略称する。）等のガス絶縁電気機器では、接地する円筒状の金属容器の接続部となるフランジ間に、絶縁スペーサを配置して連結してガス区画し、各金属容器内にＳＦ６ガス等の絶縁ガスを、０．４〜０．６ＭＰａ程度の高圧で封入している。
【０００３】
ＧＩＳは、金属容器内に収納する遮断器や断路器や接地開閉器、更には母線等の各機器で構成され、これら各機器間は運用や絶縁ガスの処理時間を考慮した適切な間隔でガス区画するため、絶縁スペーサでガス区画を密閉している。
【０００４】
通常、絶縁スペーサは絶縁性能を満足すると共に、高気圧ガスを密閉するための機械的強度も必要であるため、主としてアルミナ充填のエポキシ材料やシリカ充填のエポキシ樹脂材料が使用されている。しかも、絶縁スペーサは径方向の寸法を小さくするため、絶縁物の沿面方向の電界を低減するように片側が膨らみ、反対側が窪んでいる凹凸形状の所謂コーンスペーサと呼ばれるものや、或いは凹凸形状のない所謂ディスクスペーサと呼ばれるものが使用される。
【０００５】
例えば特許文献１に、金属容器のフランジ間に配置して連結するコーンスペーサ形の絶縁スペーサが記載されている。この絶縁スペーサは、スペーサ本体となる成型絶縁体の中央部に高電圧導体を支持し、しかも成型絶縁体の外周部に環状金属材を配置している。そして、絶縁スペーサが金属容器のフランジ間に配置され、フランジ間を締結貫通ボルトで連結固定するとき、連結時の締付力を環状金属材で受け、成型絶縁体の割れを防止している。成型絶縁体の部分は、環状金属材及び押圧材で挟持して金属容器のフランジ間に固定している。
【０００６】
また、例えば特許文献２に、ディスクスペーサ形の絶縁スペーサが記載されている。この特許文献２の絶縁スペーサは、中心部に中心導体を埋め込み、外周部に複数の埋め込み金具を設けて形成している。この絶縁スペーサは、埋め込み金具を活用して金属製の環状フランジにボルトで固定しており、環状フランジの部分のみを金属容器のフランジ間に配置し、締結貫通ボルトで連結固定している。
【０００７】
【特許文献１】特開平３−１２４２１０号公報
【特許文献２】特開２００７−１４０７０号公報
【発明の開示】
【発明が解決しようとする課題】
【０００８】
上記した特許文献１の絶縁スペーサは、金属容器のフランジ間に締結貫通ボルトで連結固定する際、連結時の締付力を環状金属材で受けさせることはできる。しかし、絶縁スペーサの成型絶縁体の部分を、環状金属材及び押圧材で挟持する構造であるため、多数の締結貫通ボルトの締付力不均一や、締結貫通ボルトを規定トルク以上の過度の締付力で、成型絶縁体の部分が割れる恐れがある。
【０００９】
絶縁スペーサの成型絶縁体に割れが生ずると、ガス絶縁電気機器の金属容器内に封入した絶縁ガスが漏れ出し、遂には絶縁破壊事故に至り、或いは極端な場合には、急激な絶縁ガスの放出で爆発事故が発生し、ガス絶縁電気機器の信頼性が低下することになる。これを避けるためには、絶縁スペーサの主要部である成型絶縁体の形状を変更して厚さを増し、成型絶縁体の強度を増加させ、更には環状金属材と押圧材の配置等の工夫が必要となるが、絶縁スペーサを経済的に製作できなくなる問題があった。
【００１０】
また、上記した特許文献２の絶縁スペーサは、金属製の環状フランジにボルトで固定するものであるため、ガス絶縁電気機器の絶縁信頼性を維持するには、環状フランジの寸法分だけ金属容器を大きくせねばならず、ガス絶縁電気機器を経済的に製作できなくなるという問題があった。
【００１１】
本発明の目的は、信頼性が高くしかも構成が簡単で、経済的に製作できるガス絶縁電気機器用絶縁スペーサを提供することにある。
【課題を解決するための手段】
【００１２】
本発明は、成型絶縁体に中心導体を埋め込んだ絶縁スペーサを、前記成型絶縁体の外周部に金属材を介在させて金属容器のフランジ間に配置し、前記フランジ間を複数本の締結貫通ボルトにより連結固定するガス絶縁電気機器用絶縁スペーサを構成する際、前記絶縁スペーサは前記成型絶縁体の外周側を前記フランジ寸法より短くすると共に、前記成型絶縁体の一方の側面に厚みを薄く環状に成型した薄肉部を設け、前記成型絶縁体の一方の側面の薄肉部にフランジ間の寸法を規定し、かつ前記金属容器間の電流通路を形成する断面Ｌ字状の環状金具を嵌め合わせ配置し、嵌め合わせ配置した前記環状金具と成型絶縁体の薄肉部の周端部とを複数の結合ボルトにより一体に固定して構成したことを特徴としている。
【発明の効果】
【００１４】
本発明のようにガス絶縁電気機器用絶縁スペーサを構成すれば、薄肉部を有する成型絶縁体と断面がＬ字状の環状金具とを別々に製作し、成型絶縁体の薄肉部に環状金具を配置して結合ボルトで一体に固定して構成した絶縁スペーサは、金属容器のフランジ間に配置して複数本の締結貫通ボルトにより連結固定することができる。このため、絶縁スペーサの成型絶縁体の部分で金属容器のガス区画の気密性能を良好に維持できると共に、環状金具で金属容器間を接続する接続導体を兼用して循環電流の電流通路も確保でき、信頼性の高い絶縁スペーサを経済的に製作することができる。
【発明を実施するための最良の形態】
【００１５】
本発明のガス絶縁電気機器用絶縁スペーサは、中心導体を埋め込んだ成型絶縁体を有している。絶縁スペーサは、成型絶縁体の外周部に金属材を介在させて金属容器のフランジ間に配置し、複数本の締結貫通ボルトにより連結固定する。そして、絶縁スペーサは、
成型絶縁体の外周側を前記フランジ寸法より短くすると共に、前記成型絶縁体の一方の側面を薄く環状に成型した薄肉部を設けている。この成型絶縁体の一方の側面の薄肉部には、フランジ間の寸法を規定し、かつ金属容器間の電流通路を形成する断面Ｌ字状の環状金具を嵌め合わせて配置し、嵌め合わせ配置した環状金具と成型絶縁体の薄肉部間とを複数の結合ボルトにより一体に固定している。
【実施例１】
【００１６】
以下、本発明の一実施例のガス絶縁電気機器用絶縁スペーサを、図１から図６を用いて説明する。図１及び図２に示す実施例では、本発明を適用した絶縁スペーサ１０を、内部に高電圧の通電導体３、４を配置すると共に、ＳＦ６ガス等の絶縁ガスを封入する円筒状の金属容器１、２を、ガス区画して連結するため、フランジ１Ａ、２Ａ間に配置したものである。
【００１７】
絶縁スペーサ１０は、エポキシ樹脂等の熱硬化性樹脂を用いて成型する成型絶縁体１１と、この内部に埋め込んだ中心導体１２を有しており、中心導体１２は各通電導体３、４と接続される。この絶縁スペーサ１０を配置した金属容器１、２のフランジ１Ａ、２Ａ間は、図２に示す如く複数本のスタッドボルトと称される締結貫通ボルト５及びナット６により所定の締付力で締め付け、連結固定される。
【００１８】
成型絶縁体１１は、外周端面部がフランジ１Ａ、２Ａ間に挟持するように配置され、締結貫通ボルト５及びナット６により締め付け固定するとき、絶縁スペーサ１０部分におけるガス気密を維持するため、成型絶縁体１１の両面又は各フランジ１Ａ、２Ａに形成されるに溝内に、Ｏリング１３を配置している。
【００１９】
絶縁スペーサ１０の主要部をなす成型絶縁体１１は、その外周端部を各フランジ１Ａ、２Ａの寸法より短く形成し、しかも図３に示す如く成型絶縁体１１の一方の側面（図１及び図２では右側の側面）の厚みを薄くして環状に成型した薄肉部１１Ａを設けている。この成型絶縁体１１の薄肉部１１Ａには、断面がＬ字状の環状金具１４を配置し、環状金具１４の自由端で寸法を短くした成型絶縁体１１の外周端面を覆っている。
【００２０】
この構造とすることにより、金属容器１、２のフランジ１Ａ、２Ａ間に絶縁スペーサ１０を配置し、締結貫通ボルト５及びナット６で連結固定したとき、薄肉部１１Ａに嵌め合わせ配置したＬ字状の環状金具１４により、Ｏリング１３の過度な変形を防ぐようにフランジ１Ａ、２Ａ間の寸法を規制し、しかも環状金具１４で金属容器１、２間の電流通路を形成させている。
【００２１】
そして、成型絶縁体１１の他方の側面から、結合ボルト１５を環状金具1４にねじ込むことにより、図３に示す如く環状金具１４を成型絶縁体１１の薄肉部１１Ａに一体に固定している。なお、断面がＬ字状の環状金具１４は、例えば後述するような所定厚さ寸法の一枚の金属板を、切削加工することにより容易に製作することができる。
【００２２】
図３に、絶縁スペーサ１０の成型絶縁体１１と、断面がＬ字状の環状金具１４との寸法関係を示している。成型絶縁体１１の厚さ寸法Ｌ１であるとき、環状金具１４の配置や結合ボルト１５の配置を考慮して薄肉部１１Ａは、厚さ寸法Ｌ２に成型している。また、結合ボルト１５は、過大な締め付けによる押付力が働いた場合は、成型絶縁体１１の割れを引き起こし、或いは成型絶縁体１１に残留応力が残り、経年劣化により残留応力の存在する部分から割れが発生する恐れがある。
【００２３】
これらを防ぐため、結合ボルト１５の過大な押付力が働かぬように、ねじ溝のない部分の長さ寸法Ｌ４とワッシャー１５Ａの厚さ寸法Ｌ５から決まる有効長さ（Ｌ４−Ｌ５）と、成型絶縁体１１の薄肉部１１Ａの厚さ寸法Ｌ２とは、（Ｌ４−Ｌ５）≦Ｌ２の関係となるようにする必要がある（ワッシャー１５Ａなしのときは、Ｌ４≦Ｌ２）。
【００２４】
結合ボルト１５による締め付け固定にあたっては、結合ボルト１５の有効長さ（Ｌ４−Ｌ５）と成型絶縁体１１の厚さＬ２との関係が、（Ｌ４−Ｌ５）＝Ｌ２となるようにすれば良いものである。成型絶縁体１１と環状金具１４は、完全に密着して固定される必要はないし、この間に微小ギャップが存在していても性能上は問題ない。絶縁性能については、結合ボルト１５が環状金具１４と完全に固定されて導通されるため、結合ボルト１５は電気的に接続されることから、絶縁低下の恐れもなくなる。
【００２５】
また、金属容器１、２間のガス区画の維持は、フランジ１Ａ、２Ａと成型絶縁体１１がＯリング１３により気密を保持されているから、成型絶縁体１１の厚みと環状金具１４の厚みを管理すれば、気密維持の性能は確保できる。例えば、ＪＩＳ規格の高気圧気密に適用するＯリング（Ｐ３００）の変形量は、１．３ｍｍ〜１．７ｍｍである。このことから、成型絶縁体１１の厚さ寸法Ｌ１と環状金具１４の厚さ寸法Ｌ３の差が、両接触面を考慮して、０＜（Ｌ３−Ｌ１）≦０．２ｍｍの公差で管理されていると、Ｏリング１３の変形量から考えれば、十分に気密を維持できる。
【００２６】
この成型絶縁体１１の厚さ寸法Ｌ１と、薄肉部１１Ａに配置すると共に成型絶縁体１１の端面を覆う環状金具１４の自由端側の厚さ寸法Ｌ３は、上記した略等しい寸法関係に形成する。これにより、図２に示す如く環状金具１４を成型絶縁体１１の薄肉部１１Ａに固定した絶縁スペーサ１０を、フランジ１Ａ、２Ａ間に配置し、締結貫通ボルト５を挿入してナット６により締め付けることで一体に固定するとき、環状金具１４と金属容器１、２のフランジ１Ａ、２Ａは、完全に密着固定される。
【００２７】
この結果、環状金具１４と金属容器１、２のフランジ１Ａ、２Ａ間は、電気的には非常に小さい例えば１ｍΩ以下の接触抵抗で接続された電流通路が形成される。このため、ガス絶縁機器の通常の運用中に、通電導体３、４を数千Ａの商用定格電流が流れるとき、商用定格電流で発生する磁束を打ち消すように、通電導体３、４に流れる電流と同程度の循環電流が、環状金具１４により電気的に接続された金属容器１、２を流れるようにすることができる。
【００２８】
それ故、絶縁スペーサ１０の簡単な構造の変更で、図３に示す如く成型絶縁体１１の厚さ寸法Ｌ１及び環状金具１４の厚さ寸法Ｌ３を、適切に管理することにより、金属容器１、２のガス区画の気密性能を維持できると共に、絶縁スペーサ１０の連結固定時に循環電流の電流通路も確保できるため、信頼性が高く簡単な構造の絶縁スペーサ１０を経済的に製作できる。
【００２９】
図４に示すように成型絶縁体１１と断面がＬ字状の環状金具１４とは、複数本（図４では３本）の結合ボルト１５により締め付けて一体に固定し、両者が分離されない絶縁スペーサ１０の構成にする。
【００３０】
絶縁スペーサ１０の製作にあたっては、成型絶縁体１１と環状金具１４のそれぞれを、図５のように分離して製作しておき、これら両者を図６に示す如く嵌め合わせ、その後図４に示す如く複数本の結合ボルト１５で一体に固定すれば、容易に構成することができる。
【００３１】
図５に示すように、Ｌ字状の環状金具１４は、成型絶縁体１１の薄肉部１１Ａに接する内側平坦部に、締結貫通ボルト５を通すためのボルト穴１４Ａと、結合ボルト１５用のボルト穴１４Ｂを形成している。また、同様に成型絶縁体１１の薄肉部１１Ａに、締結貫通ボルト５用のボルト穴１１Ｂ、及び結合ボルト１５用のボルト穴１１Ｃを形成している。なお、ボルト穴１１Ｃの部分は、結合ボルト１５の頭部が成型絶縁体１１の寸法内に収まるようにするため、収納座１１Ｄを形成している。
【００３２】
本発明に用いるＬ字形状の環状金具１４は、１個で一体に構成されているため、厚みの公差管理が厳しくないから、環状金具１４の過大な加工精度が必要なく、製作した環状金具１４に対する不良率も小さくでき、経済的に製作できる。そのために、低価格な絶縁スペーサの提供が可能となる。
【００３３】
また、絶縁スペーサ１０の取り付け時等に加わる不慮の衝撃を考慮した場合、結合ボルト１５のワッシャー１５Ａは、衝撃を吸収できるテフロン（登録商標）やゴム材などの柔らかい緩衝材料を使用すると、更にスペーサ割れに対する安全性が高くなる。また、成型絶縁体１１と環状金具１４の間にも、緩衝材を挿入することができる。この場合、結合ボルト１５の締め付けにより、緩衝材の厚みは薄くなるため、薄くなったときの実際の厚みＬ５Ａを考慮して、これらの寸法関係を、（Ｌ４−Ｌ５Ａ）≦Ｌ２≦Ｌ４となるように調整する。
【００３４】
本発明の絶縁スペーサ１０を、金属容器１、２のフランジ１Ａ、２Ａ間に取り付けてガス絶縁電気機器を組み立てる場合を説明する。まず、図１に示すように環状金具１４と成型絶縁体１１を結合ボルト１５で一体に固定した絶縁スペーサ１０を、フランジ１Ａ、２Ａ間に配置してから、締結貫通ボルト５を通し、ナット６により締結して固定する。このように組み立てると、絶縁性能と絶縁ガスの気密性能を満足する構造にすることができる。
【００３５】
上記の例では、本発明を単相形の絶縁スペーサ１０に適用したもので説明したが、図７に示すように三相一括形の絶縁スペーサ１０にも簡単に適用することができる。三相一括形の絶縁スペーサ１０は、中心導体１２の３本が成型絶縁体１１に埋め込まれるようになるだけであって、他の部分は単相形と同一の構成であり、同様の効果を達成することができる。
【実施例２】
【００３６】
図８及び図９に、本発明を適用した絶縁スペーサ１０の他の例を示している。この絶縁スペーサ１０は、成型絶縁体１１の薄肉部１１Ａに、締結貫通ボルト５を通す複数個のボルト穴を設けることに替えて、Ｕ字状の切り欠き溝１６を形成したものである。
【００３７】
成型絶縁体１１の薄肉部１１Ａにボルト穴を設ける場合、薄肉部１１Ａ付近の機械的強度を十分にするため、この部分を厚くする必要があり、組み立て時などで万が一衝撃が加わった場合、薄肉部１１Ａが割れる恐れがある。これに対し、成型絶縁体１１の薄肉部１１Ａに、Ｕ字状の切り欠き溝１６を形成する場合は、薄肉部１１Ａで割れる恐れもなく信頼性も高まるし、成型絶縁体１１全体の直径を小さくできるため、より経済的に絶縁スペーサ１０を製作することができる。
【００３８】
また、成型絶縁体１１の結合ボルト１５の頭部を収める部分も、円形にザグリした形状に替えて、Ｕ字状の収納座１１Ｄに形成すれば、上記と同様に成型絶縁体１１の薄肉部１１Ａの機械的強度の低下を抑制することができる。
【００３９】
なお、絶縁スペーサ１０は、ディスクスペーサ形では両側面が対象であるので問題とならないが、コーンスペーサ形では凹面と凸面が存在するために、取り付け向きの自由度も必要になる。絶縁スペーサ１０の取り付け向きの自由度をあげるためには、結合ボルト１５のボルト穴を絶縁スペーサ面の向きに対して交互に設ける構造となるように成型すると、１種類の成型絶縁体１１で、どちらの取り付け面でも対応させることができる。
【図面の簡単な説明】
【００４０】
【図１】本発明の一実施例であるガス絶縁電気機器用絶縁スペーサの組み立て使用状態を示す概略縦断面図である。
【図２】図１のガス絶縁電気機器用絶縁スペーサを別の位置で断面した組み立て使用状態を示す概略縦断面図である。
【図３】図１に示すガス絶縁電気機器用絶縁スペーサの端部を拡大した分解図である。
【図４】図１のガス絶縁電気機器用絶縁スペーサの組み立て状態を示す側面図である。
【図５】図２を分解して示す側面図である。
【図６】図２の分解斜視図である。
【図７】本発明を適用した三相一括型のガス絶縁電気機器用絶縁スペーサの組み立て状態を示す側面図である。
【図８】本発明の他の実施例であるガス絶縁電気機器用絶縁スペーサの組み立て使用状態を示す概略縦断面図である。
【図９】図８のガス絶縁電気機器用絶縁スペーサの組み立て状態を示す側面図である。
【符号の説明】
【００４１】
１、２…金属容器、３、４…通電導体、５…締結貫通ボルト、６…ナット、１０…絶縁スペーサ、１１…成型絶縁体、１１Ａ…薄肉部、１２…中心導体、１４…環状金具、１５…結合ボルト、１６…切り欠き溝。
【図１】
0005139887.tif 000002
【図２】
0005139887.tif 000003
【図３】
0005139887.tif 000004
【図４】
0005139887.tif 000005
【図５】
0005139887.tif 000006
【図６】
0005139887.tif 000007
【図７】
0005139887.tif 000008
【図８】
0005139887.tif 000009
【図９】
0005139887.tif 000010